【事件の表示】
　特許第３３５９９８５号「碍子」の請求項１ないし３に係る特許に対する特許異議の申立てについて、次のとおり決定する。
【結　論】
　特許第３３５９９８５号の請求項１ないし３に係る特許を取り消す。
【理　由】
１．手続の経緯
　本件特許第３３５９９８５号発明は、平成７年２月１６日に特許出願され、平成１４年１０月１１日にその特許の設定登録がなされたものである。
　これに対して、山本武及び小山憲一から特許異議申立てがなされ、取消理由通知がなされたが、その指定期間内に特許権者から何ら応答がなかったものである。
　
２．本件発明１〜３
　本件請求項１〜３に係る発明（以下、それぞれ「本件発明１」〜「本件発明３」という）は、特許請求の範囲の請求項１〜３に記載された事項により特定される次のとおりのものである。
「【請求項１】成分（Ａ）を加熱硬化させてなるシリコーンゴムで外被を所定形状に形成した複合碍子において、前記成分（Ａ）中に成分（Ｂ）を前記（Ａ）成分１００重量部に対して１〜１００重量部で配合したことを特徴とする碍子。
成分（Ａ）：一分子中に少なくとも２個のケイ素原子結合アルケニル基を有するジオルガノポリシロキサン
成分（Ｂ）：２５℃における粘度が１〜１，０００センチストークスであり、分子鎖両末端がシラノール基で封鎖されたメチルアルキルポリシロキサン油
【請求項２】前記成分（Ａ）中に成分（Ｃ）：シリカ微粉末及び成分（Ｄ）：水酸化アルミニウムを配合したことを特徴とする碍子。
【請求項３】前記成分（Ｄ）中のアルキル基がメチル基であることを特徴とする請求項１または２に記載の碍子。」
　
３．特許異議申立てについて
（１）取り消し理由の概要
　当審が通知した平成１６年９月７日付け取消理由の概要は、
（ｉ）本件特許の請求項１〜３に係る発明は、その出願前日本国内において頒布された引用刊行物１（特開平４−２０９６５５号公報）及び２（特公平６−９１２９号公報）に記載された発明であり、特許法第２９条第１項第３号に規定する発明に該当するから、請求項１〜３に係る発明の特許は取り消されるべきものである。 
（ｉｉ）本件特許の請求項１〜３に係る発明は、その出願の日前の出願であって、その出願後に出願公開された特願平５−２０３４１５号（特開平７−５７５７４号）の出願の願書に最初に添付した明細書又は図面に記載された発明と同一であり、しかも、この出願の発明者がその出願前の出願に係る上記の発明をした者と同一ではなく、またこの出願の時において、その出願人がその出願前の出願に係る上記特許出願の出願人と同一でもないので、本件の請求項１〜３に係る発明の特許は、特許法第２９条の２の規定に違反してされたものであり、取り消されるべきものであるというものである。
　
（２）当審の判断
（ｉ）本件発明１について
（ｉ−１）引用刊行物１との対比・判断
　刊行物１には、実施例１に係る高電圧電気絶縁体用シリコーンゴム組成物１として、ジメチルシロキサン単位とメチルビニルシロキサン単位からなるジオルガノポリシロキサン生ゴム１００部、粘度６０ｃｓｔの両末端シラノール基封鎖ジメチルシロキサンオリゴマー４．０部、ジフェニルシランジオール４．０部、ヒュームドシリカ及び水酸化アルミニウムを含有するシリコーンゴム組成物１が記載されている（第３頁右下欄〜第４頁左上欄）。そして、シリコーンゴム組成物１は、刊行物１の「本発明のシリコーンゴム組成物は、加熱加硫後のシリコーンゴムが・・・碍子や碍子装置類の電気絶縁体部分を構成するシリコーンゴム組成物として好適に使用される。」（第３頁右下欄）の記載によると、碍子の外被に用いられることは明らかであるから、刊行物１には、「シリコーンゴムで外被を所定形状に形成した複合碍子において、前記シリコーンゴムが、ジメチルシロキサン単位とメチルビニルシロキサン単位からなるジオルガノポリシロキサン生ゴム１００部、粘度６０ｃｓｔの両末端シラノール基封鎖ジメチルシロキサンオリゴマー４．０部、ジフェニルシランジオール４．０部、ヒュームドシリカ及び水酸化アルミニウムを含有するシリコーンゴム組成物を加熱硬化させたものである碍子」（刊行物１−１発明という）が記載されていると云える。
　本件発明１と刊行物１−１発明を対比すると、刊行物１−１発明の「ジメチルシロキサン単位とメチルビニルシロキサン単位からなるジオルガノポリシロキサン生ゴム」は、メチルビニルシロキサン単位にケイ素原子結合アルケニル基を有しているから、本件発明１の成分（Ａ）に相当し、刊行物１−１発明の「粘度６０ｃｓｔの両末端シラノール基封鎖ジメチルシロキサンオリゴマー」は、本件発明１の成分（Ｂ）に相当し、また、刊行物１−１発明の成分（Ａ）に対する成分（Ｂ）の量比も、本件発明１に一致しているから、本件発明１は、刊行物１−１発明と相違するところがない。
　
　また、刊行物１には、「上記シリコーンゴム組成物１において、（ニ）成分としての粘度６０ｃｓｔの両末端シラノール基封鎖ジメチルシロキサンオリゴマー４．０部とジフェニルシランジオール４．０部の替わりに、粘度６０ｃｓｔの両末端シラノール基封鎖メチルフェニルシロキサンオリゴマー８．０部を使用し、他の条件は上記と同様にしてシリコーンゴム組成物２を作った。また、上記シリコーンゴム組成物１において、（ニ）成分の替りに、粘度６０ｃｓｔの両末端シラノール基封鎖ジメチルシロキサンオリゴマーのみ９．０部を使用し、他の条件は上記と同様にしてシリコーンゴム組成物３（比較例）を作った。」（第４頁左上欄）と記載されているから、刊行物１には、比較例として、刊行物１−１発明の「粘度６０ｃｓｔの両末端シラノール基封鎖ジメチルシロキサンオリゴマー４．０部、ジフェニルシランジオール４．０部」という成分を、「粘度６０ｃｓｔの両末端シラノール基封鎖ジメチルシロキサンオリゴマー９．０部」とした、すなわち、「シリコーンゴムで外被を所定形状に形成した複合碍子において、前記シリコーンゴムが、ジメチルシロキサン単位とメチルビニルシロキサン単位からなるジオルガノポリシロキサン生ゴム１００部、粘度６０ｃｓｔの両末端シラノール基封鎖ジメチルシロキサンオリゴマー９．０部、ヒュームドシリカ及び水酸化アルミニウムを含有するシリコーンゴム組成物を加熱硬化させたものである碍子」（刊行物１−２発明という）が記載されていると云える。
　本件発明１と刊行物１−２発明を対比すると、刊行物１−１発明の場合と同様に、本件発明１は、刊行物１−２発明と相違するところがない。
　してみると、本件発明１は、刊行物１に記載された発明である。
　
（ｉ−２）引用刊行物２との対比・判断
　刊行物２には、加熱処理して得られた架橋組成物から構成されるシリコーン弾性体カバーを有する高電圧電気絶縁体が記載され、シリコーン弾性体として、０．４モルパーセントのビニル基と残りがジメチルビニルシロキシ末端封鎖剤を伴ったメチル基とを有しウイリアムズ可塑度が１５０である１００重量部のポリジオルガノシロキサンゴムと７．５重量部の２５℃における粘度が約０．０４Ｐａ・ｓでかつ充填剤の処理剤として４重量パーセントのシリコーン結合を有するヒドロキシル基を含んだヒドロキシル末端封鎖ポリジメチルシロキサン溶液、ヒュームシリカ、アルミニウムトリハイドレートを含有するシリコーン組成物が記載されている（第１０頁右欄９〜２３行）。そして、高電圧電気絶縁体が碍子であることは明らかであるから、刊行物２には、「シリコーンゴムで外被を所定形状に形成した複合碍子において、前記シリコーンゴムが、０．４モルパーセントのビニル基と残りがジメチルビニルシロキシ末端封鎖剤を伴ったメチル基とを有しウイリアムズ可塑度が１５０である１００重量部のポリジオルガノシロキサンゴムと７．５重量部の２５℃における粘度が約０．０４Ｐａ・ｓでかつ充填剤の処理剤として４重量パーセントのシリコーン結合を有するヒドロキシル基を含んだヒドロキシル末端封鎖ポリジメチルシロキサン溶液、ヒュームシリカ、アルミニウムトリハイドレートを含有するシリコーン組成物を加熱硬化させたものである碍子」（刊行物２発明という）が記載されていると云える。
　本件発明１と刊行物２発明を対比すると、刊行物２発明の「０．４モルパーセントのビニル基と残りがジメチルビニルシロキシ末端封鎖剤を伴ったメチル基とを有しウイリアムズ可塑度が１５０であるポリジオルガノシロキサンゴム」は、本件発明１の成分（Ａ）に相当し、刊行物２発明の「２５℃における粘度が約０．０４Ｐａ・ｓでかつ充填剤の処理剤として４重量パーセントのシリコーン結合を有するヒドロキシル基を含んだヒドロキシル末端封鎖ポリジメチルシロキサン溶液」は、本件発明１の成分（Ｂ）に相当し、また、刊行物２発明の成分（Ａ）に対する成分（Ｂ）の量比も、本件発明１に一致しているから、本件発明１は、刊行物２発明と相違するところがない。
  してみると、本件発明１は、刊行物２に記載された発明である。
　
（ｉ−３）先願との対比・判断
　先願の明細書には、碍子の表面にシリコーンゴム層を形成することが記載されている（段落【００３５】）が、このシリコーンゴムとして、実施例１には、ジメチルシロキサン単位９９．８モル％とメチルビニルシロキサン単位０．２モル％からなるジオルガノポリシロキサン生ゴム１００部、粘度が６０センチストークスの両末端シラノール基封鎖ジメチルシロキサンオリゴマー９．０部、ヒュームドシリカ、粘度が５０センチストークスの分子鎖両末端トリメチルシロキシ基封鎖ジメチルポリシロキサン油及び水酸化アルミニウムを含有し加熱硬化されたシリコーンゴムが記載されている（段落【００２６】、【００２７】）から、先願の明細書には、「シリコーンゴムで外被を所定形状に形成した複合碍子において、前記シリコーンゴムが、ジメチルシロキサン単位９９．８モル％とメチルビニルシロキサン単位０．２モル％からなるジオルガノポリシロキサン生ゴム１００部、粘度が６０センチストークスの両末端シラノール基封鎖ジメチルシロキサンオリゴマー９．０部、ヒュームドシリカ、粘度が５０センチストークスの分子鎖両末端トリメチルシロキシ基封鎖ジメチルポリシロキサン油及び水酸化アルミニウムを含有するシリコーンゴム組成物を加熱硬化させたものである碍子」（先願発明１という）が記載されていると云える。
　本件発明１と先願発明１を対比すると、先願発明１の「ジメチルシロキサン単位９９．８モル％とメチルビニルシロキサン単位０．２モル％からなるジオルガノポリシロキサン生ゴム」は、メチルビニルシロキサン単位にケイ素原子結合アルケニル基を有しているから、本件発明１の成分（Ａ）に相当し、先願発明１の「粘度が６０センチストークスの両末端シラノール基封鎖ジメチルシロキサンオリゴマー」は、本件発明１の成分（Ｂ）に相当し、また、先願発明１の成分（Ａ）に対する成分（Ｂ）の量比も、本件発明１に一致しているから、本件発明１は、先願発明１と相違するところがない。
　
　また、先願の明細書には比較例１として、「実施例１において、粘度が５０センチストークスの分子鎖両末端トリメチルシロキシ基封鎖ジメチルポリシロキサン油のみを配合せず、他の条件を同様にして丸棒状の碍子を作製した（試料４）。」（段落【００２７】）と記載されているから、先願には、先願発明１の「粘度が５０センチストークスの分子鎖両末端トリメチルシロキシ基封鎖ジメチルポリシロキサン油」という成分をないものとした、すなわち、「シリコーンゴムで外被を所定形状に形成した複合碍子において、前記シリコーンゴムが、ジメチルシロキサン単位９９．８モル％とメチルビニルシロキサン単位０．２モル％からなるジオルガノポリシロキサン生ゴム１００部、粘度が６０センチストークスの両末端シラノール基封鎖ジメチルシロキサンオリゴマー９．０部、ヒュームドシリカ及び水酸化アルミニウムを含有するシリコーンゴム組成物を加熱硬化させたものである碍子」（先願発明２という）が記載されていると云える。
　本件発明１と先願発明２を対比すると、先願発明１の場合と同様に、本件発明１は、先願発明２と相違するところがない。
　してみると、本件発明１は、先願明細書に記載された発明と同一である。しかも、本件の発明者がその先願に係る上記の発明をした者と同一ではなく、またこの出願の時において、その出願人がその先願に係る本件の出願人と同一でもない。
　
（ｉ−４）小括
　以上のように、本件発明１は、刊行物１及び２に記載された発明であり、また、先願明細書に記載された発明と同一である。
　
（ｉｉ）本件発明２について
　本件発明２は、本件発明１にさらに「成分（Ｃ）：シリカ微粉末及び成分（Ｄ）：水酸化アルミニウム」を配合するものであるが、刊行物１−１発明、刊行物１−２発明、刊行物２発明、先願発明１及び先願発明２も、それぞれ本件発明１の成分（Ｃ）及び成分（Ｄ）を含有しているから、「（ｉ）本件発明１について」に記載したのと同様の理由で、本件発明２は、刊行物１及び２に記載された発明であり、また、先願明細書に記載された発明と同一である。
　
（ｉｉｉ）本件発明３について
　本件発明３は、請求項１または２に記載の碍子の「前記成分（Ｄ）中のアルキル基がメチル基である」というものであるが、成分（Ｄ）とは「水酸化アルミニウム」であり、水酸化アルミニウムがアルキル基を持たないことは明らかであること、また特許明細書の段落【００１５】の「本発明の碍子においては、前記成分（Ｂ）中のアルキル基がメチル基であることが好ましい」の記載から、本件発明３の「成分（Ｄ）」とは「成分（Ｂ）」の誤記であることは明らかであるところ、刊行物１−１発明、刊行物１−２発明、刊行物２発明、先願発明１及び先願発明２も、成分（Ｂ）は「ジメチルシロキサン」単位を含み、成分（Ｂ）中のアルキル基がメチル基であるから、「（ｉ）本件発明１について」に記載したのと同様に、本件発明３は、刊行物１及び２に記載された発明であり、また、先願明細書に記載された発明と同一である。
　
４．むすび
　以上のとおりであるから、本件発明１〜３についての特許は、特許法第２９条第１項第３号の規定に該当する発明にされたものであり、また、特許法第２９条の２の規定に違反してされたものである。
　したがって、本件発明１〜３についての特許は、特許法第１１３条第２号に該当し、取り消されるべきものである。
　よって、結論のとおり決定する。
【異議決定日】
平成１７年５月１０日（２００５．５．１０）